(57)【要約】【課題】従来の携帯情報端末は、表示素子における表示画面と筐体との間に弾性部材を用いて防水させているため、表示素子を保持するＬＣＤ保持部材の周囲にブラケット部を設けてネジ止めしていたが、これらのブラケット部により筐体の横幅を狭くすることができなかった。【解決手段】本発明は、表示素子保持部材の長辺側両端に、それぞれ延出する係止爪を設け、筐体側に設けた孔に組み付け時に嵌合させて、表示素子を筐体側に押し付けつつ固定させて、防水部材を押し潰して防水を機能させ、不要な従来のバケット部の長さ分だけ筐体の幅を狭くさせた携帯情報端末の筐体構造である。【選択図】　　図７
2004070657.tif 000002
【特許請求の範囲】
【請求項１】
携帯可能で種々の情報処理を行う携帯情報端末において、
表示画面を持つ矩形形状の表示素子を含む電子機器部位を収納し、上面に該表示画面を露出させるための開口部を有する筐体と、
上記筐体の開口部に上記表示画面が露出するように上記表示素子を該筐体に固定させるための表示素子保持部材と、を備え、さらに、
上記表示素子保持部材における対向する辺の一部にそれぞれ延出するように設けられた係止爪と、
上記筐体内壁に隣接し、上記表示素子保持部材を組み付けた際に、該表示素子保持部材の周囲に当接して、所定位置に嵌装されるようにガイドし、上記係止爪が当接するそれぞれの箇所に孔が設けられたガイド部材と、を具備し、
上記係止爪が上記孔に嵌合することにより、上記表示素子が上記表示素子保持部材により上記筐体内に保持されることを特徴とする携帯情報端末の筐体構造。
【請求項２】
上記携帯情報端末の筐体構造において、
上記係止爪は、上記表示素子保持部材の対向する辺のうち、長辺となる一方の組に設けられ、上記長辺と同等若しくは短辺となる他方の組には、ネジ止め用のブラケット部が設けられることを特徴とする請求項１に記載の携帯情報端末の筐体構造。
【請求項３】
上記携帯情報端末の筐体構造において、
上記表示素子と上記筐体の開口部周囲の内壁との間に設けられ、上記表示素子保持部材の係止爪による押圧と上記ブラケット部の螺着とによる均一な押圧により圧縮される、防水機能する防水部材を、さらに具備することを特徴とする請求項２に記載の上記携帯情報端末の筐体構造。
【請求項４】
携帯可能で種々の情報処理を行う携帯情報端末において、
表示画面を持つ矩形形状の表示素子を含む電子機器部位を収納し、上面に該表示素子の表示画面を露出させるための開口部を有する筐体と、
上記筐体の開口部に表示画面が露出するように上記表示素子を該筐体に固定させるための表示素子保持部材と、を備え、さらに、
上記表示素子保持部材の対向する辺のうち、長辺となる一方の両辺の端部でそれぞれ延出するように設けられた突起部と、他方の短辺となる両辺の端部にそれぞれ設けられたネジ止め用ブラケット部と、
上記筐体内壁に隣接し、上記表示素子保持部材を組み付けた際に、該表示素子保持部材の周囲端に当接して、所定位置に嵌装されるようにガイドし、上記突起部が当接するそれぞれの箇所にカギ溝が設けられたガイド部材と、
を具備し、
上記突起部が上記カギ溝に嵌め込まれることにより、上記表示素子が上記表示素子保持部材により上記筐体内壁へ押し付けられつつ保持されることを特徴とする携帯情報端末の筐体構造。
【発明の詳細な説明】
【０００１】
【発明の属する技術分野】
本発明は、携帯性を向上させるために小型化が要求される携帯情報端末の筐体構造に関する。
【０００２】
【従来の技術】
一般に、電子手帳等、通信機能やバーコード読み取り機能を有するＰＤＡなどの携帯可能な携帯情報端末には、入力操作や処理操作を行うための複数のキーと、情報を表示するための液晶表示素子（ＬＣＤ）による表示画面が設けられている。
【０００３】
例えば、図１０は、従来の携帯情報端末を正面から見た外観構成を示し、図１１は、その携帯情報端末の下側筐体（表示画面側を上面とする）を外した内部構成を示し、図１２は、図１０の線分Ａ−Ａにおける断面構成を示している。
【０００４】
この携帯情報端末３０の構成において、ＬＣＤ３２は、ＬＣＤ保持部材３３に保持されて、そのＬＣＤ保持部材３３の周囲で外側へ張り出すように設けられた複数のブラケット部３４がネジ３５により上側筐体３１内に設けられたボス部３７へ螺着されて、取り付けられている。ネジ３７により、下側筐体３８と上側筐体３１とが一体的に組み立てられる。
【０００５】
また図１２に示すように、上側筐体３１とＬＣＤ３２との接触面（対向面）ではＬＣＤ３２全周に亘り、ゴム等の弾性部材からなるＬＣＤ防水部材３６を介在させて、外部からの水の浸入を防止している。防水機能を発揮させるためには、ＬＣＤ防水部材３６が全周に亘って均一に押し潰される必要があり、例えば、図１１に示すように、ＬＣＤ３２の周囲を複数のネジ３５で締め付けている。
【０００６】
【発明が解決しようとする課題】
前述した携帯情報端末は、机上で操作するよりも、手で持った状態でキー操作を行う場合が多い。従って、手に持ち易くさせるためには筐体の横幅を掌に収まるサイズにすることが望ましい。前述した例では、防水のために均等な力で防水部材を押し潰す必要があるため、ＬＣＤ３２の周囲にブラケット部３４を配置してネジ止めしている。この筐体の横幅は、図１１に示すように、ＬＣＤ保持部材３３の横幅に、両側のブラケット部３４の幅、筐体用防水部材の厚さ及び、筐体自体の厚さが加わったものとなっている。
【０００７】
通常、ユーザは、表示される情報の見やすさからＬＣＤ３２の表示画面の大型化を望む一方、持ち易さのために端末の幅を狭くすることも含めた小型軽量化が望まれている。従って、携帯情報端末を表示画面側から見て画面の縁となる部分を狭くすることにより、表示画面の大型化若しくは端末の幅を狭くすることが成し得る。
【０００８】
しかし、ＬＣＤ３２の長辺側の締め付け構造は、ＬＣＤ防水部材３６を機能させるためには不可欠であり、従来の構造では、長辺側の締め付けのためにもネジ用のブラケット部を除くことはできない。
そこで、本発明は防水機能の低下を防止し且つ、端末の筐体の横幅を狭くすることで、表示画面の大型化及び手に持ったときの操作性の向上を実現する情報携帯端末の筐体構造を提供することを目的とする。
【０００９】
【課題を解決するための手段】
本発明は上記目的を達成するために、携帯可能で種々の情報処理を行う携帯情報端末において、表示画面を持つ矩形形状の表示素子を含む電子機器部位を収納し、上面に該表示画面を露出させるための開口部を有する筐体と、上記筐体の開口部に上記表示画面が露出するように上記表示素子を該筐体に固定させるための表示素子保持部材とを備え、さらに、上記表示素子保持部材における対向する辺の一部にそれぞれ延出するように設けられた係止爪と、上記筐体内壁に隣接し、上記表示素子保持部材を組み付けた際に、該表示素子保持部材の周囲に当接して、所定位置に嵌装されるようにガイドし、上記係止爪が当接するそれぞれの箇所に孔が設けられたガイド部材とを具備し、上記係止爪が上記孔に嵌合することにより、上記表示素子が上記表示素子保持部材により上記筐体内に保持される携帯情報端末の筐体構造を提供する。
【００１０】
この携帯情報端末の筐体構造において、上記係止爪は、上記表示素子保持部材の対向する辺の２つの組のうちの一方の組に設けられ、他方の辺の組には、ネジ止め用のブラケット部が設けられる。また、上記表示素子と上記筐体内壁との間に設けられ、上記表示素子保持部材の係止爪による係止と上記ブラケット部の螺着とによる均一な押圧により防水機能する防水部材をさらに具備する。
【００１１】
以上のような構成の携帯情報端末の筐体構造は、表示素子を保持する表示素子保持部材が長辺側に設けた係止爪により上側筐体に係止され、表示素子防水部材が上側筐体と表示素子保持部材とで均一的に圧縮されて防水が機能し、不要となった従来のネジ止め用ブラケット部の長さ分、筐体の横幅が狭くなり、また従来横幅であれば表示素子の表示画面の大型化が図られる。
【００１２】
【発明の実施の形態】
以下、図面を参照して本発明の実施形態について詳細に説明する。
図１は、本発明の第１の実施形態に係る携帯情報端末における正面（表示画面がある上側）から見た外観構成を示し、図２は、図１の長手方向（長辺）の線分Ｂ−Ｂにおける携帯情報端末の断面構成を示す。図３は、図１の横方向の線分Ｃ−Ｃにおける携帯情報端末の断面構成を示し、図４は、図１の横方向の線分Ｄ−Ｄにおける携帯情報端末の断面構成を示し、図５は、図１の横方向の線分Ｅ−Ｅにおける携帯情報端末の断面構成を示し、図６（ａ）、（ｂ）は、図４におけるＬＣＤ保持部材の係止部分を拡大した断面構成また、図６（ｃ）は、図６（ｂ）における係止爪による係止箇所を斜め方向から見た構成を示す。図７は、図２の線分Ｆ−Ｆにおける水平断面であり、ＬＣＤ保持部材を取り付けた状態を下側から見た構成を示し、図８は、図２に示す線分Ｇ−Ｇにおける水平断面であり、回路基板を取り付けた状態を下側から見た構成を示している。
【００１３】
この携帯情報端末１は、図１に示すように、正面（上面）に液晶表示素子（ＬＣＤ）２等の矩形形状の表示素子による画面２ａが設けられ、その近傍に情報入力や処理指示を行うための複数のキー３が配置されている。この端末筐体は、樹脂、金属又はそれらの組合せにより形成され、図４に示すように、例えば、上側筐体４と下側筐体５とに２分割し、ゴム等からなる上下筐体防水部材６を周囲に挟んでネジ７（図３に示す）により数ヶ所で螺着されて一体化されている。尚、端末筐体外装には落下等の外部からの衝撃による損傷を最小限にさせるためのガード部材を設けてもよい。
【００１４】
その上側筐体４には、図２に示すようにＬＣＤ２用の窓が開口され、ＬＣＤ防水部材８により端部全周がカバーされたＬＣＤ２を保持するＬＣＤ保持部材９が後述するように取り付けられ、ＬＣＤ２の表示画面２ａが露出している。このＬＣＤ防水部材８は、図４に示すような断面がコの字形状でゴム等からなり弾性及び防水性を有している。ＬＣＤ防水部材８は、弾性及び防水性を有していれば、水の不透過性を有するスポンジでもよいし、樹脂を代用することもできる。このＬＣＤ保持部材９は、アルミニウムの様な金属や樹脂により形成される。また、これらを組み合わせて形成してもよい。このＬＣＤ保持部材９の下方には、種々の回路素子が実装された回路基板１０が配置されている。
【００１５】
さらに下側筐体５には、電池室１２が設けられており、主電源となる電池１３が装填され電池蓋１４でカバーされている。
【００１６】
次に、前述した上側筐体４にＬＣＤ保持部材９を係止する構成について説明する。
このＬＣＤ保持部材９において、図７に示すように短辺側には、長手方向に延出する、それぞれ２個のブラケット部９ｃ、９ｄが設けられている。これらは、図３に示すような上側筐体４に設けられたボス部１５にネジ止めされる際に用いられる。また、ＬＣＤ保持部材９のそれぞれの長辺側の中程に延出する４個の係止爪９ａが設けられている。
【００１７】
図６に示すように、上側筐体４内部にはＬＣＤ保持部材９とガタツキなく当接して、正しく嵌装されるようにガイドするためのガイド部材１６がＬＣＤ保持部材９のほぼ全周に亘り設けられている。このガイド部材１６でＬＣＤ保持部材９が組み付けられた際に係止爪９ａと当接する箇所には、図６（ａ）に示すような孔１６ａを形成する。これは、ＬＣＤ保持部材９を上側筐体４に組み付けた際に、図６（ｂ）に示すように、係止爪９ａが孔１６ａに嵌め込まれて固定され、ＬＣＤ２及びＬＣＤ防水部材８の長辺（長手方向）側が係止される。図６（ｃ）は、４個の係止爪９ａが孔１６ａの嵌め込まれている状態を示している。この係止において、ＬＣＤ２を上側筐体４の内壁に押し付ける力（押圧）が働く位置に孔１６ａを形成する。
【００１８】
そして、図３及び図８に示すように、回路基板１０が重ね合わせられて、４箇所のブラケット部９ｃ、９ｄが上側筐体４のボス部１５にネジ１１によりネジ止めされて固定される。尚、図７に示すネジ穴９ｂは、図５に示すように、ネジ７とボス部１７により、下側筐体５をＬＣＤ保持部材９へ固定する時に利用するための孔である。
【００１９】
このような構造により、ＬＣＤ保持部材９の短辺両側はブラケット部９ｃ、９ｄによるネジ止めで係止され、長辺両側は、係止爪９ａの嵌め込みにより係止される。従って、従来、横幅方向に必要であったネジ止め用ブラケット部が無くなり、筐体の横幅を狭くすることができる。
【００２０】
この実施形態では、係止爪９ａをそれぞれ４個設けた例であるが、ＬＣＤ保持部材９がＬＣＤ防水部材８を均等に圧縮して防水が機能すれば、個数には限定されず、少なくとも１個設けるだけでもよい。また、係止爪９ａは、ＬＣＤ保持部材９の長辺側に設けた例について説明しているが、勿論短辺側に設けて利用してもよい。
【００２１】
以上のような構成により、ＬＣＤ保持部材は、長辺側に設けた係止爪により上側筐体に押圧が働きつつ係止された状態で保持されることとなり、従来のネジ止めに用いたブラケット部を設ける必要がない。これにより、従来と同じＬＣＤであれば、携帯情報端末１の横幅を狭くすることができ、また従来と同じ横幅であれば、ＬＣＤの表示画面を大きくすることができる。また、ＬＣＤ防水部材が押圧により、上側筐体とＬＣＤ保持部材との間で均一的に圧縮されることにより防水機能を発揮することができる。
【００２２】
次に図９は、本発明の第２の実施形態に係る携帯情報端末におけるＬＣＤ保持部材の係止部分を拡大した断面構成を示す図である。
【００２３】
前述した第１の実施形態では、ＬＣＤ保持部材に係止爪を設け、上側筐体に孔を設けて、嵌め込むことで係止させた例であったが、この第２の実施形態は、ＬＣＤ保持部材の突起部とＬＣＤ保持部材にカギ溝との係合によりＬＣＤ保持部材を上側筐体に係止させるものである。
【００２４】
図９に示すように、ＬＣＤ保持部材９の両長辺側にそれぞれ２個の突起部２１を設ける。また、両短辺側には前述したブラケット部９ｃ、９ｄ（図示せず）を設ける。そして、上側筐体４には、組み付けた際に上記突起部２１が当接する位置にカギ溝２２を設ける。このカギ溝２２はＬ形状に設けられ、突起部２１を矢印のようにカギ溝２２へ嵌め、さらにスライドさせて係止する。また突起部２１がカギ溝２２から外れ出ないように保持するために、カギ部２３の先端部には、ストッパ２３ａがそれぞれ形成されている。
【００２５】
このＬＣＤ保持部材９を上側筐体４に取り付ける手順は前述した第１の実施形態と同様であり、ＬＣＤ保持部材９の突起部２１をカギ溝２２に係合させた後、回路基板１０と重ね合わせられて、４箇所のブラケット部９ｃ、９ｄが上側筐体４のボス部１５にネジ止めされて固定される。
【００２６】
以上のように、この第２の実施形態は、ＬＣＤ保持部材の長辺側の突起部を設け、上側筐体４のカギ溝に係合させる構造により、従来、横幅方向に必要であったネジ止め用ブラケット部が無くなり、筐体の横幅を狭くすることができる。また、ＬＣＤ防水部材が上側筐体とＬＣＤ保持部材とで均一的に圧縮されることにより防水機能を発揮することができる。
【００２７】
前述した携帯情報端末は、機能として、演算や計算によるデータ処理機能、バーコード等の記号を読み取る記号情報読み取り機能、電話回線や無線通信や光通信やケーブル通信を利用した通信機能、画像の撮像処理及び再生表示処理機能、文章作成機能、キー操作や書き込みによる入力を行う入力機能、音声による入出力機能、内蔵メモリや着脱自在なメモリによるメモリ機能及び、ＤＰＳを含む地図機能等々を組み合わせて搭載する機器を想定している。これらの携帯情報端末に対して、第１、２の実施形態を容易に適用することができる。
【００２８】
以上の実施形態について説明したが、本明細書には以下のような発明も含まれている。
【００２９】
（１）上側筐体とＬＣＤ保持部材を係止するための係止爪と、
上記係止爪を嵌合させて、引っ掛ける穴で組み付け保持を行うことにより筐体幅をＬＣＤの幅に対して僅かな寸法増加で構成出来る事を特徴とした筐体構造。
【００３０】
（２）ＬＣＤ保持部材は上側筐体との間にＬＣＤを挟持する事を特徴とする上記（１）項に記載の筐体構造。
【００３１】
（３）上側筐体はＬＣＤ表示面を見せる為の開口部を有することを特徴とする上記（１）項に記載の筐体構造。
【００３２】
（４）係止爪による組立保持構造部材は概ねＬＣＤの両側面に配設されることを特徴とする上記（１）項に記載の筐体構造。
【００３３】
（５）ＬＣＤ保持部材と下側筐体はネジ止めされていることを特徴とする上記（１）項に記載の筐体構造。
【００３４】
（６）ＬＣＤ保持部材と下側筐体は係止爪による組立保持構造部材で組立られていることを特徴とする上記（１）項に記載の筐体構造。
【００３５】
（７）上側筐体とＬＣＤは防水部材で防水されていることを特徴とする上記（１）項に記載の筐体構造。
【００３６】
【発明の効果】
以上詳述したように本発明によれば、防水機能の低下を防止し且つ、端末の筐体の横幅を狭くすることで、表示画面の大型化及び手に持ったときの操作性の向上を実現する情報携帯端末の筐体構造を提供することができる。
【図面の簡単な説明】
【図１】本発明の第１の実施形態に係る携帯情報端末における正面図である。
【図２】図１の長手方向（長辺）の線分Ｂ−Ｂにおける携帯情報端末の断面構成を示す図である。
【図３】図１の横方向の線分Ｃ−Ｃにおける携帯情報端末の断面構成を示す図である。
【図４】図１の横方向の線分Ｄ−Ｄにおける携帯情報端末の断面構成を示す図である。
【図５】図１の横方向の線分Ｅ−Ｅにおける携帯情報端末の断面構成を示す図である。
【図６】図４におけるＬＣＤ保持部材の係止部分を拡大した断面構成及び斜め方向から見た構成を示す図である。
【図７】図２の線分Ｆ−Ｆにおける水平断面であり、ＬＣＤ保持部材を取り付けた状態を下側から見た構成を示す図である。
【図８】図２に示す線分Ｇ−Ｇにおける水平断面を示す図である。
【図９】本発明の第２の実施形態に係る携帯情報端末におけるＬＣＤ保持部材の係止部分を拡大した断面構成を示す図である。
【図１０】従来の携帯情報端末を正面から見た外観構成を示す図である。
【図１１】従来の携帯情報端末の携帯情報端末の下側筐体（表示画面側を上面とする）を外した内部構成を示す図である。
【図１２】図１０の線分Ａ−Ａにおける断面構成を示す図である。
【符号の説明】
１…携帯情報端末
２…液晶表示素子（ＬＣＤ）
２ａ…長方形画面
３…キー
４…上側筐体
５…下側筐体
６…上下筐体防水部材
７…ネジ
８…ＬＣＤ防水部材
９…ＬＣＤ保持部材
９ａ…係止爪
９ｂ…ネジ穴
９ｃ，９ｄ…ブラケット
１０…回路基板
１２…電池室
１３…電池
１４…電池蓋
１６…ガイド部材
１６ａ…孔
【図１】
2004070657.tif 000003
【図２】
2004070657.tif 000004
【図３】
2004070657.tif 000005
【図４】
2004070657.tif 000006
【図５】
2004070657.tif 000007
【図６】
2004070657.tif 000008
【図７】
2004070657.tif 000009
【図８】
2004070657.tif 000010
【図９】
2004070657.tif 000011
【図１０】
2004070657.tif 000012
【図１１】
2004070657.tif 000013
【図１２】
2004070657.tif 000014